(57)【特許請求の範囲】
【請求項１】
筒状の外ケース（１１）と、この外ケース（１１）に差し込まれシート状物を収納する内トレー（１２）とからなるシート収納ケースにおいて、
上記内トレー（１２）にその差し込み方向と交差する長孔状のスリット（３８）が設けられ、そのスリット（３８）は、前記内トレー（１２）の差し込み側と反対側に、両側方に延びる線状の切り込み（３９）が設けられており、前記スリット（３８）の幅よりも広い幅のストッパー（１９）を先端部に有する係止片（１７）が上記外ケース（１１）の内部に設けられ、このストッパー（１９）は、前記係止片（１７）側に両側方への張り出し部を有し、この張り出し部が前記切り込み（３９）の幅に設けられ、前記内トレー（１２）は、前記外ケース（１１）内に差し込まれた状態で、前記係止片（１７）が前記スリット（３８）に差し込まれており、前記内トレー（１２）が前記外ケース（１１）から引き出される際に、前記係止片（１７）のストッパー（１９）の張り出し部が前記スリット（３８）の差し込み側周縁部の両側方に係合し、前記内トレー（１２）が前記外ケース（１１）に係止されるようにしたことを特徴とするシート収納ケース。
【請求項２】
上記外ケース（１１）は、帯体状（２０）の両端部を接続して形成されたものであり、この帯状体（２０）と上記係止片（１７）とが可撓性を有するシート状素材の打ち抜きにより、前記帯状体（２０）の側縁に前記係止片（１７）の端部とが接合された形状に一体成形されたことを特徴とする請求項１に記載のシート収納ケース。
【発明の詳細な説明】
【技術分野】
【０００１】
この発明は、フィルム状石けんやあぶら取り紙などのシート状物を収納するシート収納ケースに関するものである。
【背景技術】
【０００２】
一般に、フィルム状石けんや油取り紙などのシート状物は、非常に薄いので取り扱いが難しく、折り畳んだ状態、または互い違いに挟み込みながら積層した状態にして収納することが難しい。そのため、従来、前記シート状物をその端辺を揃えて複数枚積み重ねたシート束の状態で収納するシート収納ケースが知られている（特許文献１  参照）。
【０００３】
上記の特許文献１に記載のシート収納ケースは、底面に設けた四方のフラップを内側に折り曲げて天面の一部とした内トレーと、両端が開放した筒状の外ケースとからなり、前記内トレーに上記のシート束を収納し、この内トレーを外ケースにスライドさせて差し込んだものである。
【０００４】
上記シート収納ケースの内トレーを外ケースからスライドさせて引き出し、この内トレーの前側のフラップを起こして、収納されたシート束の上面からシート状物を必要枚数抜き取る。その後、そのシート束を内トレーに収納した状態で、再度、内トレーを外ケースにスライドして、始めの収納状態にもどす。このようにして、必要枚数のシート状物をシート収納ケースからしわや折り目を付けずに容易に抜き出して使用することができる。
【０００５】
【特許文献１】特開平９−１７５５６２号公報
【発明の開示】
【発明が解決しようとする課題】
【０００６】
上記の特許文献１に記載のシート収納ケースは、シート状物を収納した内トレーをスライドさせてそのシート状物を取り出す際に、内トレーが必要以上に外ケースから飛び出し、さらに、外ケースから抜け出てしまうという問題があった。
【０００７】
また、外ケースが筒状に形成され、その両端が開放しているため、このシート収納ケースの外ケースの両側のいずれかの端部を下に向けると内トレーが外ケースから抜け出るおそれがあった。
【０００８】
そこで、この発明は、シート状物を収納する内トレーが外ケースから抜け落ちないようにしたシート収納ケースを提供することを課題とする。
【課題を解決するための手段】
【０００９】
上記の課題を解決するために、この発明は、筒状の外ケースと、この外ケースに差し込まれシート状物を収納する内トレーとからなるシート収納ケースにおいて、前記内トレーにスリットが設けられ、このスリットの幅よりも広い幅のストッパーを有する係止片が上記外ケースの内側に設けられ、前記外ケースの係止片が前記内トレーのスリットに差し込まれ、前記内トレーが前記外ケースから引き出される際に、前記係止片のストッパーが前記スリットの周縁部に係合し、前記内トレーが前記外ケースに係止されるようにした構成としたのである。
【００１０】
この構成によると、上記外ケースに差し込まれた内トレーを引き出すと、外ケースの係止片のストッパーが内トレーのスリットの周縁部に係合して、内トレーが外ケースに係止される。これにより、内トレーが必要以上に外ケースから飛び出ることがなくなるので、内トレーが外ケースの上端から抜け落ちるのを防止する。
【００１１】
また、外ケースの内トレーが引き出される側の端部と反対側の端部を下向きにしても、前記内トレーが外ケースとその係止片との接合部分に突き当たるので、内トレーが外ケースの下端からも抜け落ちない。
【００１２】
さらに、上記外ケースは、帯体状の両端部を接続して形成されたものであり、この帯状体と上記係止片とが可撓性を有するシート状素材の打ち抜きにより、前記帯状体の側縁に前記係止片の端部とが接合された形状に一体成形されると、外ケースの作製が容易になり、コストも安く抑えることができる。
【発明の効果】
【００１３】
以上のように、この発明は、シート状物を収納した内トレーが外ケースから抜け落ちるのを防止することができる。
【発明を実施するための最良の形態】
【００１４】
以下、添付図面に基づいてこの発明の実施形態を説明する。
この発明の実施形態のシート収納ケースを図１から図６に示す。この実施形態のシート収納ケース１０は、図１に示すように、両端が開放し筒状に形成された外ケース１１と、この外ケース１１に差し込まれ、シート状物を収納する内トレー１２とから構成される。
【００１５】
上記外ケース１１は、図２に示すように、断面矩形の筒状に形成されたものであり、対向するケース板１３、１４と、ケース側板１５、１６と、係止片１７とからなる。前記各ケース板１３、１４の一方の開放端にそれぞれに湾曲した切り欠き１８が形成される。
【００１６】
上記ケース板１３の他方の開放端の中央に係止片１７が、外ケース１１の内部に設けられ、この係止片１７のケース板１３側の部分には肩部４０が形成される。また、係止片１７の先端には後述する上記内トレー１２のスリット３８の幅よりも広い幅のストッパー１９が設けられる。このストッパー１９は、円弧状に形成されその直線部分が前記係止片１７の先端部分と接合される。このストッパー１９が設けられることにより、上記外ケース１１に差し込まれた内トレー１２が引き出されると、前記係止片１７のストッパー１９が後述するスリット３８の周縁部に係合する。このため、内トレー１２が外ケース１１の上端、すなわち、切り欠き１８側の開放端から抜け落ちるのを防止する。
【００１７】
上記外ケース１１を作製する際には、可撓性を有するプラスチックシートが、図３に示すように、上記のケース板と、ケース側板とが交互に接合された形状の帯状体２０とその側縁に上記係止片１７の端部（上記ストッパー１９に対して反対側端部）とが接合された形状に打ち抜かれる。これにより、前記帯状体２０と係止片１７とが一体成形されるので、外ケース１１の作製が容易になり、コストも安く抑えることができる。
【００１８】
上記帯状体２０は、上述のようにケース板と、ケース側板とが交互に接合された形状であり、この帯状体２０の側縁には上記切り欠き１８が２箇所に形成される。この切り欠き１８が形成されると、外ケース１１から内トレー１２の後述するフラップ３５を、引き出して開きやすくなる。
【００１９】
この切り欠き１８の間には、上記ケース側板１６の幅をもって平行な２本の折り曲げ線２１が形成される。また、この帯状体２０のケース側板１５の外側にのりしろ部２３が設けられ、のりしろ部２３の内側に、前記ケース側板１５の幅をもって平行な２本の折り曲げ線２２が形成される。
【００２０】
この帯状体２０を前記各折り曲げ線２１、２２で折り曲げ、のりしろ部２３をケース板１３の外側に重ねて接着し、さらに、前記係止片１７を内側に折り曲げることにより、図２に示すように、断面矩形の筒状の外ケース１１が形成される。
【００２１】
上記外ケース１１に差し込まれる内トレー１２は、図２に示すように、対向するトレー板３１、３２と、トレー底板３３と、トレー蓋板３４と、フラップ３５とからなり、トレー板３１、３２の間に端辺を揃えた複数枚のシート状物を挟んで収納するものである。
【００２２】
上記内トレー１２は、帯状体３０を折り曲げて形成されたものであり、この帯状体３０は、図４に示すように、上記トレー底板３３の両側に上記トレー板３１とトレー板３２とが接合され、このトレー板３１の、トレー底板３３と反対側にトレー蓋板３４が接合されたものである。
【００２３】
上記トレー蓋板３４にはプラップ３５が形成されるとともに前記トレー板３２の、トレー底板３３の反対側端部には湾曲する切り欠き３６が形成される。この切り欠き３６は、外ケース１１に内トレー１２が収納された際に、外ケースの切り欠き１８と一致する。このため、前記フラップ３５を起こすと内トレー１２に収納されたシート状物の一部が露出し、内トレー１２に収納されたフィルム状石けんやあぶら取り紙などのシート状物が抜き取りやすい。前記の各板部材の境界には折り曲げ線３７が形成され、これらの折り曲げ線３７で前記帯状体３０を折り曲げて図２に示す内トレー１２が形成される。
【００２４】
上記トレー板３１のトレー底板３３寄りの中央部分には、上記折り曲げ線３７に平行なスリット３８が設けられる。このスリット３８の上記トレー蓋板３４側の長辺には両側方に延びる切り込み３９が設けられる。この切り込み３９は、外ケース１１の係止片１７のストッパー１９の幅に設けられ、この切り込み３９に係止片１７を容易に差し込むことができる。
【００２５】
シート収納ケース１０は、以上のように構成されるものであり、次にその作用を説明する。
まず、上記内トレー１２の対向するトレー板３１、３２の間に端面を揃えた複数枚のシート状物（図示省略）を挟んで保持させる。その後、図２に示すように、上記外ケース１１のケース板１３（係止片１７が設けられたケース板）と、内トレー１２のトレー板３１（スリット３８が設けられたトレー板）が同じ側を向くようにそれぞれ配置される。
【００２６】
次に、前記内トレー１２が、そのトレー底板３３を外ケース１１の切り欠き１８側の開放端に向けて外ケース１１に差し込まれるとともに、外ケース１１の係止片１７が内トレー１２のスリット３８の切り込み３９に差し込まれる。
【００２７】
さらに、内トレー１２がそのトレー底板３３が外ケース１１の係止片１７側の開放端に達するまで押し込まれ、前記内トレー１２のフラップ３５が外ケース１１のケース板１４の内側に差し込まれる（図５参照）。このとき、外ケース１１に内トレー１２が必要以上に押し込まれても、前記係止片１７の肩部４０が、内トレー１２のスリット３８の周縁部分に当たり、外ケース１１の下端（係止片１７側の開放端）から内トレー１２が抜け落ちない。このようにして、シート収納ケース１０は、シート状物を収納することができる。
【００２８】
一方、このシート収納ケース１０から収納されたシート状物を取り出すには、まず、内トレー１２のプラップ３５とトレー板３１とを手でつまんで内トレー１２を外ケース１１から引き出す。この内トレー１２が引き出されると、外ケース１１の係止片１７のストッパー１９が、内トレー１２のスリット３８の周縁部に係合する。このため、内トレー１２が外ケース１１に係止されるので内トレー１２が外ケース１１の上端（切り欠き１８側開放端）から抜け落ちるのを防止することができる（図６参照）。
【００２９】
次に、外ケース１１から引き出された内トレー１２のフラップ３５を開き、対向したトレー板３１、３２に挟まれているシート状物を抜き出す。このとき、内トレー１２のトレー板３２には切り欠き３６が設けられているため、収納されたシート状物の一部が露出する。このシート状物の露出した部分を指で押さえながらスライドさせることで必要枚数のシート状物をしわや折り目を付けずに容易に抜き出して使用することができる。
【図面の簡単な説明】
【００３０】
【図１】実施形態のシート収納ケースを示す斜視図
【図２】同上のシート収納ケースを示す分解斜視図
【図３】同上のシート収納ケースの外ケースを示す展開図
【図４】同上のシート収納ケースの内トレーを示す展開図
【図５】同上のシート収納ケースを示す斜視図
【図６】同上のシート収納ケースの使用状態を示す斜視図
【符号の説明】
【００３１】
１０  シート収納ケース
１１  外ケース
１２  内トレー
１３  ケース板
１４  ケース板
１５  ケース側板
１６  ケース側板
１７  係止片
１８  切り欠き
１９  ストッパー
２０  帯状体
２１  折り曲げ線
２２  折り曲げ線
２３  のりしろ部
３０  帯状体
３１  トレー板
３２  トレー板
３３  トレー底板
３４  トレー蓋板
３５  フラップ
３６  切り欠き
３７  折り曲げ線
３８  スリット
３９  切り込み
４０  肩部
【図１】
0004772539.tif 000002
【図２】
0004772539.tif 000003
【図３】
0004772539.tif 000004
【図４】
0004772539.tif 000005
【図５】
0004772539.tif 000006
【図６】
0004772539.tif 000007